(57)【特許請求の範囲】
【請求項１】
複数本の光ファイバ心線が平行一列に並べられ共通被覆により一体化された光ファイバテープ心線の隣り合う光ファイバ心線間に、カッター刃により長手方向に間欠的な切込みが入れられた光ファイバテープ心線の製造装置であって、
前記切込みが入れられる前の走行する光ファイバテープ心線の前記隣り合う光ファイバ心線間に、前記カッター刃が前記走行する光ファイバテープ心線から離間した位置から前記走行する光ファイバテープ心線に接する位置に円弧状に回動して切込みを入れた後、前記回動と反対方向の回動で前記走行する光ファイバテープ心線から離間した元の位置に戻るスイング動作で、間欠的に切込みを入れる切込み機構を備えていることを特徴とする光ファイバテープ心線の製造装置。
【請求項２】
前記カッター刃は、両刃の断面形状で、切込みを入れる刃部の厚さが０.２ｍｍ〜０.５ｍｍであることを特徴とする請求項１に記載の光ファイバテープ心線の製造装置。
【請求項３】
前記切込み機構は、光ファイバ心線の本数に応じて複数備えられ、製造ライン方向にずらせて配置されていることを特徴とする請求項１または２に記載の光ファイバテープ心線の製造装置。
【請求項４】
前記切込み機構の後段に、光ファイバテープ心線に捩じりを加える捩じり機構を備えていることを特徴とする請求項１〜３のいずれか１項に記載の光ファイバテープ心線の製造装置。
【請求項５】
複数本の光ファイバ心線が平行一列に並べられ共通被覆により一体化された光ファイバテープ心線の隣り合う光ファイバ心線間に、カッター刃により長手方向に間欠的な切込みが入れられた光ファイバテープ心線の製造方法であって、
切込み機構のカッター刃を、走行する光ファイバテープ心線から離間した位置から前記走行する光ファイバテープ心線に接する位置に円弧状に回動して切込みを入れた後、前記回動と反対方向の回動で前記走行する光ファイバテープ心線から離間した元の位置に戻るスイング動作させて、前記切込みが入れられる前の前記走行する光ファイバテープ心線の前記隣り合う光ファイバ心線間に間欠的に切込みを入れることを特徴とする光ファイバテープ心線の製造方法。
【発明の詳細な説明】
【技術分野】
【０００１】
本発明は、複数本の光ファイバ心線を平行一列に並べ、隣り合う光ファイバ心線同士が間欠的に結合された形態の光ファイバテープ心線の製造装置および製造方法に関する。
【背景技術】
【０００２】
複数本の光ファイバ心線を平行一列に並べて一体化された光ファイバテープ心線において、光ファイバ心線を単心に分離するのが容易であると共に、テープ心線の平行一列の保持状態を維持して多心一括融着接続等が行える光ファイバテープ心線が知られている。この光ファイバテープ心線は、複数本の光ファイバ心線を平行一列に並べ、その長手方向で結合部と非結合部を交互に形成し、隣り合う光ファイバ心線同士が間欠的に連結された形状のもので、種々の形状と製造方法が提案されている。
【０００３】
例えば、特許文献１には、隣り合う光ファイバ心線間の長手方向に所定距離だけ接着性樹脂または被覆樹脂が付与されてなる結合部と、所定距離だけ接着性樹脂または被覆樹脂が付与されない非結合部と、を交互に形成する光ファイバテープ心線の製造方法が開示されている。
また、特許文献２には、複数本の光ファイバ心線の全長にＵＶ（紫外線硬化）樹脂を塗布した後、長手方向に間欠的にＵＶ照射を行い、ＵＶ樹脂の硬化部分（非結合部）と未硬化部分（結合部）と、を交互に形成する光ファイバテープ心線の製造方法が開示されている。
また、特許文献３には、光ファイバテープ心線の共通被覆の長手方向に、複数の刃を有する回転カッターや間欠的に照射するレーザビームで切欠きを形成し、結合部と非結合部を交互に形成する光ファイバテープ心線の製造方法が開示されている。
【先行技術文献】
【特許文献】
【０００４】
【特許文献１】特開２００３−２３２９７２号公報
【特許文献２】特開２０１０−２７４３号公報
【特許文献３】特許２５７３６３２号公報
【発明の概要】
【発明が解決しようとする課題】
【０００５】
特許文献１に開示のように、隣り合う光ファイバ線間に間欠的に接着樹脂等を付与する方法は、樹脂の付与制御が容易ではなく、製造線速を上げることが難しいという問題がある。また、特許文献２に開示のように、ＵＶ照射を間欠的に行う方法は、未硬化部分を形成する遮光シャッタの駆動制御が容易でなく、遮光した部分が狙いどおりの寸法で未硬化とする確率が低く、同じく製造線速を上げることが難しい。また、特許文献３のように回転刃やレーザビームを用いる方法は、光ファイバ心線に損傷を与えるおそれがある。
【０００６】
本発明は、上述した実状に鑑みてなされたもので、製造線速の高速化が可能で、光ファイバ心線を傷つけることなく心線間を間欠的に確実に分離し、結合部と非結合部を交互に有する光ファイバテープ心線の製造装置と製造方法の提供を目的とする。
【課題を解決するための手段】
【０００７】
本発明による光ファイバテープ心線の製造装置および製造方法は、複数本の光ファイバ心線が平行一列に並べられ共通被覆により一体化された光ファイバテープ心線の隣り合う光ファイバ心線間に、カッター刃により長手方向に間欠的な切込みが入れられた光ファイバテープ心線の製造装置および製造方法であって、切込みが入れられる前の走行する光ファイバテープ心線の隣り合う光ファイバ心線間に、カッター刃が走行する光ファイバテープ心線から離間した位置から走行する光ファイバテープ心線に接する位置に円弧状に回動して切込みを入れた後、前記の回動と反対方向の回動で走行する光ファイバテープ心線から離間した元の位置に戻るスイング動作で、間欠的に切込みを入れる切込み機構を備えていることを特徴とする。
前記のカッター刃は、両刃の断面形状で、切込みを入れる刃部の厚さが０.２ｍｍ〜０.５ｍｍであり、前記の切込み機構は、光ファイバ心線の本数に応じた複数を備え、製造ライン方向にずらせて配置されているのが好ましい。また、切込み機構の後段に、光ファイバテープ心線に捩じりを加える捩じり機構を備えるようにしてもよい。
【発明の効果】
【０００８】
本発明によれば、光ファイバテープ心線の硬化済みの共通被覆に、衝撃を与えることなくカッター刃を入れてスムーズに切込むことができ、製造線速の高速化を図ることができる。また、カッター刃による切込みで、隣り合う光ファイバ心線間を間欠的に確実に分離することができ、作業性を向上させることができる。
【図面の簡単な説明】
【０００９】
【図１】本発明により形成される光ファイバテープ心線の一例を示す図である。
【図２】本発明によるカッター刃による切込みの概略を説明する図である。
【図３】本発明に用いられる光ファイバテープ心線の他の例を示す図である。
【図４】本発明による製造装置の一例を説明する図である。
【図５】本発明で、光ファイバテープ心線に捻りを付与する例を示す図である。
【図６】本発明における切込み機構に、カム機構を用いた例を説明する図である。
【発明を実施するための形態】
【００１０】
図により本発明の実施の形態を説明する。図１（Ａ）〜図１（Ｃ）は、本発明の製造装置および製造方法により製造された光ファイバテープ心線の一例を示し、図において、１は光ファイバテープ心線（テープ心線）、２は光ファイバ心線、３は共通被覆、４は切込み部分、５は非切込み部分を示す。
【００１１】
本発明での光ファイバ心線２とは、例えば、外径が１２５μｍのガラスファイバに、被覆径が２５０μｍ前後のファイバ被覆を施した光ファイバ素線とも言われているもの、また、そのファイバ被覆の外面に着色層を施したものを含めた単心の光ファイバを言うものとする。
また、光ファイバテープ心線１（以下、テープ心線という）とは、光ファイバ心線２の３心以上を、平行一列に並べ共通被覆３により一体化してテープ状としたものであって、共通被覆３には、隣り合う光ファイバ心線２間で所定長さの切込み部分４と非切込み部分５が交互に形成されている形態のものを言う。
【００１２】
テープ心線１の共通被覆３に入れられた切込み部分４は、テープ心線の上下面を貫通するように形成されていて、この切込みが入れられた部分では、隣り合う光ファイバ心線同士が互いに分離されていて互いに引き離す方向（長手方向と直交する方向）に引っ張ることにより、湾曲させて分けることが可能な非結合部となる。一方、切込みが入れられていない非切込み部分５では、隣り合う光ファイバ心線同士が互いに共通被覆３により一体とされて、テープ状態を保持する結合部となる。
【００１３】
切込み部分４と非切込み部分５は、種々の形態（パターン）で形成することができる。図１（Ａ）の例は、隣り合う切込み部分４が全て一致するように形成されている例で、非切込み部分５が長手方向と直交する間欠的な位置で全光ファイバ心線が連結されている。図１（Ｂ）の例は、隣り合う切込み部分４の位置が異なるようにし、隣より１つ離れた切込み部分同士の位置が一致するように形成した例である。また、図１（Ｃ）は、隣り合う切込み部分４の位置が順にずれていくように形成した例である。
【００１４】
また、切込み部分４の長さと非切込み部分５の長さは、任意に設定することができる。例えば、光ファイバ心線の単心分離性を重視するなら、切込み部分４の切込み長さを非切り込み部分５より長くする。また、テープ心線としての一体性を重視するなら非切込み部分５の長さを切込み部分４より長くする。また、単心分離性と一体性をバランスさせるなら、切込み部分４と非切込み部分５の長さを等しくする等の形態とすることができる。
【００１５】
図２は、切込み部分４を形成するカッター刃６について説明する図で、図２（Ａ）は使用するカッター刃６の形状を示し、図２（Ｂ）（Ｃ）は共通被覆にカッター刃で切込む状態を示し、図２（Ｄ）は、カッター刃６のスイング動作を説明する図である。
【００１６】
本発明において、切込みを行うのに使用するカッター刃６は、図２（Ａ）に示すように両山刃または片山刃のいずれも用いることができる。しかし、いずれの刃においても両側に刃面６ａを有する両刃形状のものが好ましく、これにより、図２（Ｂ）（Ｃ）に示すように、光ファイバ心線２を左右に均等に押し開くようにしてスムーズ切込むことが可能となる。また、切込みを入れる刃部の厚みは、薄いほど光ファイバへの曲げ応力を緩和できるが、あまり薄いと強度が小さくなって破損し易く、また切込み部分の識別性が悪くなる。したがって、光ファイバ心線２の外径が０.２５ｍｍ程度であることから、０.２ｍｍ〜０.５ｍｍとするのが好ましい。
【００１７】
カッター刃６は、図２（Ｂ）に示すように共通被覆３の表面から切込まれ、図２（Ｃ）に示すように、光ファイバ心線２を左右に押し開くようにして共通被覆３を切り開く。なお、切り開かれた共通被覆３は、光ファイバ心線２の外面に付着した状態で維持されるのが好ましく、共通被覆３は光ファイバ心線のファイバ被覆と接着性のよいものが用いられていることが望ましい。
【００１８】
なお、光ファイバ心線２のファイバ被覆のヤング率が低い（軟らかい）と、カッター刃６が差し込まれた時に、中のガラスファイバを損傷する恐れがあり、ヤング率が高すぎる（硬い）と、被覆除去作業が困難になり接続作業が著しく悪化する。しがって、光ファイバ心線２のファイバ被覆のヤング率が５００ＭＰａ〜８００ＭＰａ程度で形成されたテープであるのが好ましい。また、カッター刃６が差し込まれた時に、刃が光ファイバ心線２のファイバ被覆の表面を滑って傷が付き難いように、ファイバ被覆用の樹脂に滑材を含有させておくのも好ましい。
【００１９】
本発明において、特にカッター刃６は、図２（Ｄ）に示すように、円弧状のスイング動作Ｓでテープ心線１に切込みを入れることを特徴としている。スイング動作Ｓを行わせる具体例については後述するが、カッター刃６は、図の左方向に向かってテープ心線１が走行する場合、左側から右側に向かってスイングする。このスイングとは、カッター刃が走行するテープ心線１から離間した位置（イ）から、テープ心線１に接する位置（ロ）に回動し、さらにテープ心線１内に切込む位置（ハ）に円弧状に回動した後、後述するように、反対方向の回動でテープ心線１から離間した元の位置に戻る形態をいう。
【００２０】
カッター刃６のこのスイング動作Ｓでの切込みは、カッター刃６がテープ心線１の上から直に突き刺して切込む場合に比べて、走行するテープ心線１への切込み開始時の衝撃を緩和し、スムーズな切込みを行うことが可能となる。この結果、カッター刃６がテープ心線１の表面に接触する時に生じる位置ずれが低減され、カッター刃６の切込み位置を精度よく維持して、共通被覆内の光ファイバ心線２を傷つけることなく切込みを形成することが可能となる。
【００２１】
図３は、カッター刃６の切込みを精度よく行うことが可能なテープ心線の例を示す図である。図３（Ａ）に示すテープ心線１ａは、共通被覆３ａの両面を光ファイバ心線２の外面に沿うように波型に成形した例である。図３（Ｂ）に示すテープ心線１ｂは、共通被覆３ｂの一方の面を光ファイバ心線２の外面に沿うように波型にし、他方の面を平坦に成形した例である。
これらのテープ心線１ａ，１ｂの場合は、共通被覆の波型の谷部でカッター刃を位置決めすることができ、切込み部分４を精度よく形成することができる。
【００２２】
また、図３（Ｃ）に示すテープ心線１ｃは、光ファイバ心線２間の間隔をあけて、共通被覆３ｃを連結部７で繋がるように成形した例である。図３（Ｄ）に示すテープ心線１ｄは、光ファイバ心線２間の間隔をあけて、図３（Ｄ）の共通被覆３ｄの連結部７を一方の面側で平坦になるように成形した例である。なお、連結部７を設けることにより、図３（Ａ）（Ｂ）のものと比べて光ファイバ心線間の間隔が広がるが、光ファイバ心線２に細径（例えば、０.２ｍｍ）のものを用いて、間隔を合わせるようにしてもよい。
【００２３】
これらのテープ心線１ｃ，１ｄは、共通被覆３ｃ，３ｄの連結部７にカッター刃を当てることで位置決めすることができ、上記の図３（Ａ）（Ｂ）の場合と同様に、切込み部分４を精度よく形成することができる。また、光ファイバ心線間に多少の距離があるため、光ファイバ心線に対する損傷がより低減される。
【００２４】
図４は、テープ心線に切込みを入れる切込み機構の設置例を示す図である。テープ心線１は、例えば、紙面の右方向から左方向に向けて走行しているものとし、このテープ心線１に対して、光ファイバ心線の本数に応じた複数の切込み機構８ａ〜８ｃ（光ファイバ心線が４心の場合は３台の切込み機構）が準備される。切込み機構８ａ〜８ｃは、例えば、テープ心線１の走行をガイドするガイドローラ９ａ，９ｂ間で、製造ライン方向（テープ心線の長手方向）にずらせて配置され、それぞれの切込み機構により切込み部分４が形成される。切込み機構８ａ〜８ｃで、切込みを入れるタイミングを制御することにより、図１で説明したような切込みの形態（パターン）を変えることができる。
【００２５】
図５は、テープ心線１に切込み部分４を入れたあとの後段で、テープ心線１に捻りを加える一例を示す図である。切込み機構８ａ〜８ｃにより、間欠的に入れられた切込み部分４は、カッター刃の摩耗等により切込みが不完全で、完全に刃が貫通せずに薄皮状に連結して分離されていな状態となることがある。このような場合は、テープ心線１に捻りを加えることにより、薄皮状になっている部分を引き裂いて分離させることができる。したがって、テープ心線１に切込み部分４を入れた後に、これを捩じる機構、例えば、ガイドローラ９ｃの方向を変えるなどの機構を用いて捻りを加えるようにしてもよい。
【００２６】
図６は、図２で説明したカッター刃をスイング動作でテープ心線に切込みを入れる一例を示し、カム機構を用いた構成例である。このカム機構１０は、例えば、図６（Ａ）を用いて説明すると、１１はスイング部材で、支持軸１２により回動可能に支持してなる。このスイング部材１１には、カッター保持部材１７により上述したカッター刃６が取付固定される共に、軸部１４により保持された従動ローラ１３を備えている。１５はカム部材で、カム駆動軸１６により回転駆動される。また、カム部材１５と従動ローラ１３は、バネ部材１８により互いに接触するように付勢されている。
【００２７】
上記のカム機構１０は、カム部材１５がカム駆動軸１６により反時計方向に回転されると、従動ローラ１３がカム部材１５のカム面に従動して位置が変動する。この従動ローラ１３の変動は、スイング部材１１に伝わり、スイング部材１１は支持軸１２の周りを反時計方向に回動する。スイング部材１１の回動によって、カッター刃６の位置が反時計方向にスイングするように変位し、走行しているテープ心線１の長手方向に切込まれる。
【００２８】
上記のカム機構１０により、テープ心線への切込み過程を説明する。まず、図６（Ａ）に示すように、カム部材１５の回転位置でカッター刃６は、走行するテープ心線１から離れた状態となり、テープ心線１には切込まれず、隣り合う光ファイバ心線間は、互いに結合された状態が維持される。次いで、図６（Ｂ）に示すように、カム部材１５の回転により従動ローラ１３の位置が変動し、スイング部材１１が反時計方向に回動し、カッター刃６がこれに倣って、テープ心線１の上面に接触する位置にスイングする。
【００２９】
この後、図６（Ｃ）に示すように、カム部材１５がさらに回動すると、従動ローラ１３によりスイング部材１１がさらに回動し、カッター刃６はテープ心線１内に食い込んで、共通被覆への切込みが行われる。カム部材１５の回動により、テープ心線１に所定長の切込み行われると、図６（Ｄ）に示すように、カム部材１５の回転位置により、カッター刃６が、テープ心線１内への食い込み状態から、カッター刃６がテープ心線１の上面に接触する位置にスイングする。次いで、さらなるカム部材１５の回転により、図６（Ｅ）に示すように、従動ローラ１３の変動とスイング部材１１の図６（Ａ）から図６（Ｃ）に至る反時計方向の回動と反対の時計方向の回動により、カッター刃６はテープ心線１の上面から離れ、図６(Ａ）の状態に戻る。
【００３０】
上述のカッター刃６による切込み動作は、所定の速度で走行するテープ心線１に対して、スイング状態の挙動を呈し、カッター刃がテープ心線１に切込みを入れる際の衝撃を緩和し、テープ心線への切込みをスムーズに行うことができる。
また、予め共通被覆によりテープ化されたテープ心線に間欠的に切込みを入れるため、接着樹脂を付与したり、ＵＶ照射により樹脂硬化の処理を必要としないので、製造線速を高めることが可能となる。
【符号の説明】
【００３１】
１…光ファイバテープ心線（テープ心線）、２…光ファイバ心線、３，３ａ〜３ｄ…共通被覆、４…切込み部分、５…非切込み部分、６…カッター刃、７…連結部、８ａ〜８ｃ…切込み機構、９ａ〜９ｃ…ガイドローラ、１０…カム機構、１１…スイング部材、１２…支持軸、１３…従動ローラ、１４…軸部、１５…カム部材、１６…カム駆動軸、１７…カッター保持部材、１８…バネ部材。
【図１】
0005779940.tif 000002
【図２】
0005779940.tif 000003
【図３】
0005779940.tif 000004
【図４】
0005779940.tif 000005
【図５】
0005779940.tif 000006
【図６】
0005779940.tif 000007